(57)【要約】【課題】ＡＤＦ流し読み時に原稿を読み取る毎にシェーディング白板を読む事を行っていない為時間と共にランプの光量変化の為に読取画像（明度、彩度、色度）が変化するので画像を補正の必要がある。読取位置において対向するプラテンローラの輝度変化をゼロにするよう補正が提案されている。シェーディング補正板とプラテンローラの分光反射率が異なる為にプラテンローラの輝度変化がゼロになる様補正しても画像を正しく補正することが出来ない。そこでプラテンローラの輝度変化を使って画像を正しく補正する。【解決手段】▲１▼濃度補正板を適切に選択した▲２▼プラテンローラの読み取り値の変化分を１．ゼロに補正しない２．ランプの点灯時間に応じて補正目標を変更３．原稿読み取り枚数に応じて補正目標を変更４．プラテンローラの読み取り値の変化分からシェーディング補正板の変化分を知ってシェーディング補正板の変化分がゼロになるように補正。【選択図】        なし【特許請求の範囲】
【請求項１】
少なくとも第一の濃度基準板および第二の濃度基準板を備え、
第二の濃度基準板の読み取り値の変化を補うことによって第一の濃度基準板の読み取り値の変化を補正する補正手段を有する画像読み取り装置において、
第一および第二の濃度基準板の材質は同一であることを特徴とする画像読み取り装置。
【請求項２】
少なくとも第一の濃度基準板および第二の濃度基準板を備え、
第二の濃度基準板の読み取り値の変化を補うことによって第一の濃度基準板の読み取り値の変化を補正する補正手段を有する画像読み取り装置において、
画像読み取り装置の読み取り素子から見た第一および第二の濃度基準板の分光反射率特性は同一であることを特徴とする画像読み取り装置。
【請求項３】
少なくとも第一の濃度基準板および第二の濃度基準板を備える画像読み取り装置において、
第一の濃度基準板を画像読み取り装置で読み取り続けた場合の出力の変化率と第二の濃度基準板を画像読み取り装置で読み取り続けた場合の出力の変化率との大小関係は常に同じであるように濃度基準板を選択したことを特徴とする画像読み取り装置。
【請求項４】
少なくとも第一の濃度基準板および第二の濃度基準板を備える画像読み取り装置において、
第一の濃度基準板を画像読み取り装置で読み取り続けた場合の出力の変化率と第二の濃度基準板を画像読み取り装置で読み取り続けた場合の出力の変化率との比率は時間に依らず一定になるように濃度基準板を選択したことを特徴とする画像読み取り装置。
【請求項５】
請求項３乃至４に記載の画像読み取り装置であって、
第二の濃度基準板の変化量が非ゼロな所定量になるように補正を行うことを特徴とする画像読み取り装置。
【請求項６】
少なくとも第一の濃度基準板および第二の濃度基準板を備え、
第二の濃度基準板の読み取り値の変化を補うことによって第一の濃度基準板の読み取り値の変化を補正する補正手段を有する画像読み取り装置において、
画像読み取り装置の照明ランプを点灯開始後経過した時間に応じて第二の濃度基準板の補正目標を変更することを特徴とする画像読み取り装置。
【請求項７】
少なくとも第一の濃度基準板および第二の濃度基準板を備え、
第二の濃度基準板の読み取り値の変化を補うことによって第一の濃度基準板の読み取り値の変化を補正する補正手段を有する画像読み取り装置において、
画像読み取り装置の読み取り枚数に応じて第二の濃度基準版の補正目標を変更することを特徴とする画像読み取り装置。
【請求項８】
少なくとも第一の濃度基準板および第二の濃度基準板を備え、
第二の濃度基準板の読み取り値の変化を補うことによって第一の濃度基準板の読み取り値の変化を補正する補正手段を有する画像読み取り装置において、
第二の濃度基準板の読み取り値の変化に応じて補正目標を変更することを特徴とする画像読み取り装置。
【請求項９】
前記請求項１乃至８の画像読み取り装置において、
第一の濃度基準板はシェーディング補正板であり、第二の濃度基準板は原稿自動給紙装置（ＡＤＦ）のプラテンローラであることを特徴とする画像読み取り装置。
【発明の詳細な説明】
【０００１】
【発明の属する技術分野】
本発明は、複写機、スキャナ、ファクシミリ装置等における画像読取技術に関し、特に原稿の連続読取を行う際の、光源の光量、及び配光の変動によるシェーディングの補正を行う技術に関するものである。
【０００２】
【従来の技術】
複写機等の画像読取装置は、読み取る原稿と画像読取装置の読み取り部を相対的に動かすことによって画像を読み取っている。というのは、高解像度読み取り、および装置の小型化のために、一次元センサを採用しているからである。
【０００３】
従って、画像の読み取り方式は、原稿を動かすか、読み取り部を動かすかの二種類に分けられ、また、原稿を自動で画像読み取り装置の読み取り面に導くか、手動で置くかの二種類の合計四種類の組み合わせができるが、読み取り部を止めておいて手動で原稿を動かす方式は忠実な読み取りができないことが多いことから、この方式を除いた三種類が現在、多く採用されている方式である。各方式について、以下で簡単に説明する。
【０００４】
まずはじめに画像読み取り面に原稿を手動で置き、読み取り部を動かして画像を読み取る方式（以下、本方式を「固定読み方式」と称する）について図１を参照しながら説明する。オペレータは原稿を抑えるための圧板（ＡＤＦ：自動原稿供給装置  が付いたものもある）を開け、読み取る原稿を原稿読み取り面に置き、読み取り開始の指令をすることによって、原稿の主走査方向を読み取りセンサによって一次元的に読み取り、主走査方向に直行した副走査方向に走査することによって原稿全体の画像を読み取る。
【０００５】
次に自動で原稿を供給し、原稿を一度停止させて読み取り部を動かすことによって画像を読み取る方式（以下、本方式を「ＡＤＦ固定読み方式」と称する）について図２を参照しながら説明する。オペレータはＡＤＦに原稿を載置し、読み取り開始の指令をすることによって、原稿はＡＤＦによって導かれ、固定読みと同じように原稿読み取り部に原稿が置かれ、原稿の主走査方向を読み取りセンサによって一次元的に読み取り、主走査方向に直行した副走査方向に走査することによって原稿全体の画像を読み取る。
【０００６】
次に自動で原稿を供給し、読み取り部を固定して原稿を動かしながら画像を読み取る方式（以下、本方式を「流し読み方式」と称する）について図３を参照しながら説明する。オペレータはＡＤＦに原稿を載置し読み取り開始の指令をすると、読み取り側がある位置に移動して停止し、主走査方向を読み取りセンサを一次元的に読み取り、ＡＤＦがそれと直行する副走査方向に原稿を移動させることによって原稿全体の画像を読み取る。
【０００７】
上記三方式に関し、固定読み方式は、原稿を読み取り面にオペレータが確認して置くことができるため、原稿の位置合わせミスが低減できることや、ＡＤＦの紙送り速度ムラに対して読み取り部の走査ムラは小さいことから高精度に画像を読み取ることができる利点がある。反面、原稿を読み取り面に置いて、読み取り部が画像読み取り装置の副走査方向を往復する運動が含まれることから、多くの原稿を連続して読み取るときには時間がかかる難点がある。
【０００８】
ＡＤＦ固定読み方式は、オペレータが原稿を読み取り面に置いたり、交換したりする作業を自動的に行うものであり、多くの原稿を連続して読み取るときには固定読み方式に比べて大幅に時間を短縮できる利点がある。一方、原稿の位置合わせに関しては精度もあまり出ず、ばらつきも大きいため、一様な仕上がりを期待することは難しい。
【０００９】
流し読み方式は、ＡＤＦ固定読み方式と同様にして、オペレータによる原稿の載置・交換作業を省くことができるので、多くの原稿を連続して読み取るときには時間を短縮することができる。さらに、ＡＤＦ固定読み方式は原稿を給紙した後に画像読み取り部が装置内を往復運動するのに対して、本方式は原稿を給紙すると同時に画像を読み取るため、ＡＤＦ固定読み方式に比べてさらに読み取り時間を短縮できる利点がある。しかしながら、ＡＤＦ固定読み方式と同様にして、原稿位置あわせに関して精度があまり出ず、ばらつきが大きく、一様な仕上がりを期待することが難しいことに加えて、原稿を動かしながら画像を読み取るため、画質は読み取り部の走査能力には及ばないＡＤＦの原稿搬送能力に依存し、あまり期待できない。
【００１０】
実際の画像読み取り装置は、固定読み方式を標準的に備え、自動的に原稿を供給する方式を二方式から選択し、「固定読み方式＋ＡＤＦ固定読み方式」もしくは「固定読み方式＋流し読み方式」としている場合が多い。最近の趨勢としては、読み取り枚数を向上させる観点から、「固定読み方式＋流し読み方式」を採用する画像読み取り装置が増えてきている。
【００１１】
「流し読み方式」を採用する画像読取装置は、単位時間あたりの読み取り枚数を向上させることがひとつの目的になっている。そのために、原稿を連続して読み取るときには、ランプ点灯時の主走査方向の光の分布が不均一になっていること、ＣＣＤの感度が画素ごとに違うのでそれを補正すること、レンズの主走査方向に対する光量減衰率は一様ではないこと、等々の不均一性を補正するいわゆるシェーディング補正動作は読み取り開始前に一度しか実施しない。画像読み取り前のシェーディング補正のデータを使って、連続した複数の画像を読み取っていくと、ランプの絶対光量が変化し（たいていの場合は長時間経過すると減少する）、その変化の割合が主走査方向の位置によって異なるため、ランプ点灯初期からの光量の主走査方向に対する分布が変化してしまうことになる。その結果、読み取り画像の明度が変化し（多くの場合は小さくなり）、カラー画像であれば加えて彩度・色度が変わってしまうため、実際の原稿と読み取った原稿との差が大きくなり、画像読み取り装置の性能が著しく損なわれることになる。
【００１２】
このような問題に対する対策として、原稿を連続読み取りしている際に、原稿と原稿の間の距離はゼロではないので、この間を利用して、原稿が無いときに読み取る事ができるＡＤＦのプランテンローラ（図３−５０９）を第二の濃度基準板として利用する方法が提案されている（特許文献１を参照）。
【００１３】
この方式について簡単に説明する。図４（ａ）は、一様な濃度を持つ濃度基準板（シェーディング基準板）をＣＣＤから見たときの図である。横軸が主走査方向、縦軸がＣＣＤの出力である。シェーディング補正は各種不均一性を均一化するために、多くはＣＣＤの各画素毎のゲイン・オフセット補正をすることによって、図４（ｂ）の如く、主走査方向に対してシェーディング補正板の出力を一様にする。ランプを点灯したまま画像を読み取っていくと、ランプの絶対光量が変化し、その変化量が主走査方向の位置によって異なる場合には、シェーディング補正板を読み取ってシェーディング補正を施しても図４（ｃ）のように主走査方向に対して一様にならなくなる。この不均一性を補うために、ランプを点灯して原稿を読みとる前にシェーディング補正板を読み、続いてプランローラを読み取って、プラテンローラの読み取り値に関して第二の濃度基準板として利用する。複数の原稿を読みとるときには、原稿読み取り前にプラテンローラを読み取って、その初期からの変化分を補うように補正をすることによって、図４（ｄ）のようにシェーディング補正板を読んだときに主走査方向の出力が一様にする。その結果、原稿読み取り毎にシェーディング補正板を読み取らなくても、複数枚原稿読み取り時に、原稿と原稿の間に原稿を読みとる前に第二の基準板を読み取ることによって複数原稿間の濃度が均一になるようにしている。
【００１４】
【特許文献１】
特願２００３−１２８２３０
【００１５】
【発明が解決しようとする課題】
上述したような画像読取装置でシェーディング補正板に加えてプラテンローラなど第二の濃度基準板をも使ってＣＣＤ出力を補正する場合には、以下のようなことが問題になる。
【００１６】
ランプを点灯してからしばらく時間が経過すると、ランプが発光する光の各波長に対する絶対的な光量（光の強さ）が変化する。一例を図５に示す。図５（ａ）は点灯直後のランプの発光スペクトル分布を示し、図５（ｂ）は点灯後しばらく時間が経過した後の発光スペクトル分布を示している。各波長の光の大きさが変わるとともに、その変化が波長毎に一様ではないために外形（プロファイル）が変化していることがわかる。この変化をＣＣＤの出力を監視しながら補正することになるのであるが、シェーディング補正板と第二の濃度基準板では、その構造の違いから、同じ材質で構成されていない場合が多い。つまり、シェーディング補正板と第二の濃度基準板の分光反射率特性は異なる。ここで、分光反射率特性とは、物質の表面がどの波長の光をどれぐらいの比率で反射するのかを表している。たとえば、図６は太陽光の下で赤く見える物体の説明をしている。太陽光は白色光であり、可視光のすべての波長を含んでいるが、物質表面は長波長領域を反射しやすいために物質表面は赤く見える。
【００１７】
濃度基準板の分光反射率特性が異なると、ＣＣＤの出力の変化率はシェーディング補正板と第二の濃度基準板で異なることになる。というのは、ＣＣＤが出力を出す過程を辿ってみると、照明ランプを点灯し、読み取り対象となる（ここの場合では）濃度基準板を照明し、濃度基準板から反射された光がミラーやレンズなど光学系によってＣＣＤに導かれ、ＣＣＤは自身の持つ感度特性に従って出力を出すからである。つまり、ランプが発する光の変化を補うために第二の濃度基準板の変化を補うように補正してもシェーディング補正板の変化を補うことができず、結果として補正を加えたとしても複数の読みとり画像間の濃度差異は残ってしまうという問題点がある。
【００１８】
ここまで文章で説明してきたが、わかりやすいように数式を用いて簡潔に説明する。
【００１９】
照明ランプが発する光量の波長依存性をＬ（λ）、λ：光の波長
シェーディング補正板の分光反射率をＲｓ（λ）、
第二の濃度基準板の分光反射率をＲＰ（λ）、
ＣＣＤの感度をＳ（λ）、
シェーディング補正板を読んだときのＣＣＤ出力をＶｓ、
第二の濃度基準板を読んだときのＣＣＤ出力をＶＰ、
と、それぞれ定義する。
【００２０】
ＣＣＤの出力は、光の各波長ごとに光の量とＣＣＤの感度との積の総和に比例すると仮定すると、
【外１】
2005020238.tif 000002
で表される。
【００２１】
ＣＣＤ出力の変化分ｄＶｓ、ｄＶｐは、分光反射率およびＣＣＤの感度を一定とし、照明ランプが発する光量の波長依存性の変化分をｄＬ（λ）とすると、
【外２】
2005020238.tif 000003
【００２２】
と表され、両者が一致するためには、シェーディング補正板の分光反射率と第二の濃度基準板の分光反射率が等しいことが求められる。すなわち、
Ｒｓ（λ）＝Ｒｐ（λ）                    …▲５▼
であることが要求される。しかし、Ｒｓ（λ）とＲｐ（λ）は異なるため、両者が一致することはない。すなわち、第二の濃度基準板の変化を補うように補正を施しても、シェーディング補正板の変化を補うことはできず、複数の読み取り画像間の濃度差異を取り除くことができないという問題点がある。
【００２３】
【課題を解決するための手段】
上記問題点を解決するために本発明においては、
１．複数ある濃度基準板の材質を同一にすることによって、濃度基準板間の分光反射率特性を揃え、第二の濃度基準板の変化分とシェーディング補正板の変化分とを同じにすることができるので、第二の濃度基準板の変化を補うように補正するとシェーディング補正板の変化を補うことができる。
【００２４】
２．画像読み取り装置の読み取り素子から見た複数ある濃度基準板の分光反射率特性を同一にすることによって、濃度基準板間の分光反射率特性を揃えることができ、第二の濃度基準板の変化分とシェーディング補正板の変化分とを同じにすることができるので、第二の濃度基準板の変化を補うように補正するとシェーディング補正板の変化を補うことができる。
【００２５】
３．複数ある濃度基準板を画像読み取り装置で読み取り続けた場合の出力変化率の大小関係が常に同じであるように濃度基準板を選択し、もしくは、出力変化率の比率を時間に依らず一定になるように濃度基準板を選択し、第二の濃度基準板の変化量が非ゼロな所定量に成るように補正を行うことによって、シェーディング補正板の変化を補うことができる。
【００２６】
４．照明ランプを点灯し、その後の経過時間に応じて第二の濃度基準板の補正目標を変更することによってシェーディング補正板の変化を抑えられる。
【００２７】
５．原稿読み取り枚数に応じて第二の濃度基準板の補正目標を変更することによってシェーディング補正板の変化を抑えられる。
【００２８】
６．第二の濃度基準板の読み取り値の変化に応じて、第二の濃度基準板の補正目標を変更することによってシェーディング補正板の変化を抑えられる。
【００２９】
上記の方法によって、複数読み取り画像間の濃度差異を取り除くことができる。
【００３０】
【発明の実施の形態】
以下に図面を参照して、この発明の好適な形態を例示的に詳しく説明する。ただし、この実施の形態に記載されている構成部品の寸法、材質、形状、その相対配置などは特に特定的な記載がない限りは、この発明の範囲をそれらのみに限定するものではない。
【００３１】
（実施例１）
以下に本発明の実施例を図面に基づいて説明する。
【００３２】
先の［発明が解決しようとする課題］において、第一および第二の濃度補正板の分光反射率特性が異なるために第二の濃度補正板の変化分を補うように補正すると第一の濃度補正板の変化分を補うことができないことを述べた。第一および第二の濃度補正板の材質を同一にすることによって分光反射率特性を一致させておけば、第二の濃度補正板の変化分を補うように補正することによって第一の濃度補正板の変化分を補うことができる。つまり▲５▼式を
Ｒｓ（λ）＝Ｒｐ（λ）＝Ｒ（λ）              …▲６▼
と選択することによってシェーディング補正板の変化率と第二の濃度基準板の変化率が等しくなる（ｄＶｓ＝ｄＶｐ）。
【００３３】
（実施例２）
「流し読み方式」を採用する画像読み取り装置においては、流し読み時に原稿が読み取り箇所を過ぎた後、原稿をすくい上げるための部材を配置する等の理由により、「固定読み方式」の時に原稿を置く箇所に配置されたガラスと、「流し読み方式」の時に原稿が通過するガラスは別になっていることが多い。さらに、「流し読み方式」の場合は、原稿とガラスが擦れ合うために、ガラスの表面に摩擦を低減するような処理がなされていることがある。
【００３４】
ＣＣＤから濃度補正板を見る際に、シェーディング補正板を見るときには「固定読み方式」のガラス越しに、第二の濃度補正板を見るときには「流し読み方式」のガラス越しに見ることになる。たとえ、実施例１のようにシェーディング補正板と第二の濃度補正板を同一の材質にしたとしても、ガラスの透過率の波長依存性の違いによって第二の補正板の変化分を補うように補正してもシェーディング補正板の変化分を補うことができない。このような場合には、濃度補正板およびガラスの分光反射率を考慮し、ＣＣＤからみた分光反射率特性がシェーディング補正板を読んだときと第二の濃度補正板を読んだときで同じようにしておけば、第二の濃度補正板の変化分を補うように補正することによってシェーディング補正板の変化分を補うことができる。
【００３５】
（実施例３）
シェーディング補正板および第二の濃度基準板を読みとった際、画像読み取り装置のそれぞれの出力の変化分がある関係を満足していれば、前述の二つの実施例のように分光反射率を合わせるような作業は不要になる。たとえば、シェーディング補正板および第二の濃度基準板を読み取った時の画像読み取り装置の出力の変化分が常に第二の濃度基準板もしくはシェーディング補正板よりも大きければ、もしくは変化分の比率が常に一定であれば第二の基準板の変化分を完全に補わないで、非ゼロな所定量になるように補正することによって、第一の濃度基準板の変化を補うことができる。
【００３６】
（実施例４）
シェーディング補正板の濃度基準板と第二の濃度基準板の変化率はランプ点灯後おおよそある一定のパターンで変わることが多い。図７は、主走査方向のある位置における第二の濃度基準板の変化をゼロとしたときのシェーディング補正板を読みとったときの変化の推移を表している。横軸が時間で縦軸が第二の濃度基準板の変化を補ったときの第一の濃度基準板の変化量を表している。図７のように、時間に対する第一の濃度基準板の変化量の傾向がわかっている場合には、第一の濃度基準板の変化量がゼロになるように第二の濃度基準板の補正の目標値を時間に応じて変更することによって、第一の濃度基準板の変化を補うことができる（図８）。
【００３７】
（実施例５）
実施例４における時間は画像読み取り装置の読み取り枚数に置き換えることができる。従って、時間に対して第二の濃度基準板の目標値を変更する代わりに画像読み取り装置の読み取り枚数を目安に第二の濃度基準板の目標値を変更してもよい（図９、８６）。
【００３８】
（実施例６）
図１１はランプ点灯後の経過時間に対する第一および第二の濃度基準板の変化分を表した図である。これらの間にはある一律の関係があるため（図１２）、第二の濃度基準板の変化分から第一の濃度基準板の変化分を推定し、第一の濃度基準板の変化分をゼロにするためには第二の濃度基準板の目標値をいくつに設定するかをあらかじめテーブルや計算式で持っておき、ここから算出してもよい。
【００３９】
【発明の効果】
以上説明したように、本発明によれば、
１．複数ある濃度基準板の材質を同一にすることによって、濃度基準板間の分光反射率特性を揃え、第二の濃度基準板の変化分とシェーディング補正板の変化分とを同じにすることができるので、第二の濃度基準板の変化を補うように補正するとシェーディング補正板の変化を補うことができる。
【００４０】
２．画像読み取り装置の読み取り素子から見た複数ある濃度基準板の分光反射率特性を同一にすることによって、濃度基準板間の分光反射率特性を揃えることができ、第二の濃度基準板の変化分とシェーディング補正板の変化分とを同じにすることができるので、第二の濃度基準板の変化を補うように補正するとシェーディング補正板の変化を補うことができる。
【００４１】
３．複数ある濃度基準板を画像読み取り装置で読み取り続けた場合の出力変化率の大小関係が常に同じであるように濃度基準板を選択し、もしくは、出力変化率の比率を時間に依らず一定になるように濃度基準板を選択し、第二の濃度基準板の変化量が非ゼロな所定量に成るように補正を行うことによって、シェーディング補正板の変化を抑えられる。
【００４２】
４．照明ランプを点灯し、その後の経過時間に応じて第二の濃度基準板の補正目標を変更することによってシェーディング補正板の変化を抑えられる。
【００４３】
５．原稿読み取り枚数に応じて第二の濃度基準板の補正目標を変更することによってシェーディング補正板の変化を抑えられる。
【００４４】
６．第二の濃度基準板の読み取り値の変化に応じて、第二の濃度基準板の補正目標を変更することによってシェーディング補正板の変化を抑えられる。
上記の方法によって、複数読み取り画像間の濃度差異を取り除くことができた。
【図面の簡単な説明】
【図１】固定読み方式。
【図２】ＡＤＦ固定読み方式。
【図３】流し読み方式。
【図４】（ａ）  ＣＣＤから見た濃度基準板。
（ｂ）  シェーディング補正後の濃度基準板。
（ｃ）  ランプを点灯して時間が経過したときのシェーディング補正後の濃度基準板。
（ｄ）  第二の濃度基準板の変化分を０とすることによってシェーディング補正板の変化分を０としている。
【図５】発光スペクトルの時間変化。
【図６】分光反射率の説明。
【図７】読み取り時間に対する第二の濃度基準板の変化を補うように補正した場合のシェーディング補正板の出力変化。
【図８】図７に対してシェーディング補正板の出力の変化がゼロになるように第二の濃度基準板の補正目標値を変更。
【図９】読み取り枚数に対する第二の濃度基準板の変化を補うように補正した場合のシェーディング補正板の出力変化。
【図１０】図９に対してシェーディング補正板の出力の変化がゼロになるように第二の濃度基準板の補正目標値を変更。
【図１１】シェーディング補正板と第二の濃度補正板のＣＣＤ読み取り値変化。
【図１２】シェーディング補正板と第二の濃度補正板のＣＣＤ読み取り値の関係。
【符号の説明】
５０１  原稿自動給紙装置（ＡＤＦ）
５０２  画像読み取り装置
５０３  第二ミラーユニット
５０４  第一ミラーユニット
５０５  原稿
５０６  読み取り素子
５０７  副走査方向
５０８  主走査方向
５０９  プラテンローラ
【図１】
2005020238.tif 000004
【図２】
2005020238.tif 000005
【図３】
2005020238.tif 000006
【図４】
2005020238.tif 000007
【図５】
2005020238.tif 000008
【図６】
2005020238.tif 000009
【図７】
2005020238.tif 000010
【図８】
2005020238.tif 000011
【図９】
2005020238.tif 000012
【図１０】
2005020238.tif 000013
【図１１】
2005020238.tif 000014
【図１２】
2005020238.tif 000015